(57)【要約】【課題】混合される原料等を別々に保存する容器に直接かつ容易に取り付けることができる栓を使用し、原料等の品質の劣化を防止することができ、収容室に収容された原料等を確実に放出することができる、容器の封止機構及びキャップを提供する。【解決手段】キャップ（１）は、栓部（４）、密栓（５）及びスリーブ（６）を備える。栓部は、容器（２）の開口部（３）を封止する天板（１１）、天板からその軸線（Ｘ）に沿って突出しその内周面が開口部の外周面に適合する側壁（１２）、及び天板から側壁の内側で突出して下端面に開口（１３）を備えた収容室（１４）を形成する筒壁（１５）を有する。密栓は筒壁の外径（Ｄ２）より大きい外径（Ｄ１）を有し収容室の開口を封止している。スリーブは筒壁に遊嵌し、容器とキャップの相対移動時に密栓を筒壁から離脱させ開口を開放する。スリーブ外周の萼部（１６）は開口部の内径（Ｄ３）より大きな外径を有し、内径を逆止的に変形して通過する可撓性を有する。【選択図】　　　　図１
2004075133.tif 000002
【特許請求の範囲】
【請求項１】
容器（２）とキャップ（１）を備え、該容器（２）は開口部（３）を有し、該キャップ（１）は、栓部（４）、密栓（５）及びスリーブ（６）を備え、
該栓部（４）は、該容器（２）の該開口部（３）を封止する天板（１１）、該天板（１１）からその軸線（Ｘ）に沿って突出しその内周面が該開口部（３）の外周面に適合する側壁（１２）、及び該天板（１１）から該側壁（１２）の内側で突出して下端面に開口（１３）を備えた収容室（１４）を形成する筒壁（１５）を有しており、
該密栓（５）は、該筒壁（１５）に取付けられて該開口（１３）を封止するもので、その外径（Ｄ１）は該筒壁（１５）の外径（Ｄ２）より大となっており、
該スリーブ（６）は、該筒壁（１５）に遊嵌し、外周に、外径が該開口部（３）の内径（Ｄ３）より大で該内径（Ｄ３）を逆止的に変形して通過する可撓性の萼部（１６）を有し、該容器（２）と該キャップ（１）の互いに離脱する方向への相対移動時に該スリーブ（６）により該密栓（４）が該筒壁（１５）から離脱して該開口（１３）を開放するようになっていることを特徴とする容器（２）の封止機構。
【請求項２】
該開口部（３）は内周面に環状溝（７）を有し、該スリーブ（６）は外周面に該環状溝（７）に係合する環状凸部（１７）を有している請求項１に記載の封止機構。
【請求項３】
該スリーブ（６）は、上端面に該開口部（３）の端面（８）に係合するフランジ（１８）が形成されている請求項１又は２に記載の封止機構。
【請求項４】
該スリーブ（６）と該密栓（５）は連結されている請求項１〜３のいずれか一つの項に記載の封止機構。
【請求項５】
該スリーブ（６）、該密栓（５）及び該容器（２）は同じ材質で構成されている請求項１〜３のいずれか一つの項に記載の封止機構。
【請求項６】
該スリーブ（６）、該密栓（５）、該スリーブ（６）と該密栓（５）の連結部（１９）及び該容器（２）は同じ材質で構成されいる請求項４に記載の封止機構。
【請求項７】
容器（２）の封止機構に使用するもので、栓部（４）、密栓（５）及びスリーブ（６）を備え、
該栓部（４）は、該容器（２）の開口部（３）を封止する天板（１１）、該天板（１１）からその軸線（Ｘ）に沿って突出しその内周面が該開口部（３）の外周面に適合する側壁（１２）、及び該天板（１１）から該側壁（１２）の内側で突出して下端面に開口（１３）を備えた収容室（１４）を形成する筒壁（１５）を有しており、
該密栓（５）は、該筒壁（１５）に取付けられて該開口（１３）を封止するもので、その外径（Ｄ１）は該筒壁（１５）の外径（Ｄ２）より大となっており、
該スリーブ（６）は、該筒壁（１５）に遊嵌し、外周に、外径が該開口部（３）の内径（Ｄ３）より大で該内径（Ｄ３）を逆止的に変形して通過する可撓性の萼部（１６）を有し、
該容器（２）から離脱する方向への相対移動時に該スリーブ（６）により該密栓（５）が該筒壁（１５）から離脱して該開口（１３）を開放するようになっていることを特徴とするキャップ。
【請求項８】
該開口部（３）は内周面に環状溝（７）を有し、該スリーブ（６）は外周面に該環状溝（７）に係合する環状凸部（１７）を有している請求項７に記載のキャップ。
【請求項９】
該スリーブ（６）は、上端面に該開口部（３）の端面（８）に係合するフランジ（１８）が形成されている請求項７又は８に記載のキャップ。
【請求項１０】
該スリーブ（６）と該密栓（５）は連結されている請求項７〜９のいずれか一つの項に記載のキャップ。
【請求項１１】
該スリーブ（６）、該密栓（５）及び該容器（２）は同じ材質で構成されている請求項７〜９のいずれか一つの項に記載のキャップ。
【請求項１２】
該スリーブ（６）、該密栓（５）、該スリーブ（６）と該密栓（５）の連結部（１９）及び該容器（２）は同じ材質で構成されいる請求項１０に記載のキャップ。
【発明の詳細な説明】
【０００１】
【発明の属する技術分野】
本発明は、例えば清涼飲料水のような複数の原料から構成される液体を、使用時に混合できる状態で構成原料別に隔離して一つの容器に保存することを可能とする、容器の封止機構及びその封止機構に使用する原料の収容室を備えたキャップに関するものである。
【０００２】
【従来の技術】
二剤を混合して使用する薬剤や、原料を液体に混合して製品とした清涼飲料などは、混合された後長時間使用或いは消費されない場合、混合された薬剤どうしの反応や液体に混合された原料の太陽光や空気中の酸素に起因する劣化により変質することがある。そこで、これら複数の原料等を混合して使用或いは消費する液体等を本来の性質を維持しながら保存する方法として、液体を内包する容器を封止する栓に原料等の収容室を設け、混合されるべき原料や液体を別々に保存する方法が考案されている。そして、この方法に使用する様々な手段が考案されているが、それら手段として例えば以下に述べるものが存在する。
【０００３】
まず、第一の手段として、特開平８−９１４１８号公報に開示された手段が存在する。しかしながら、この手段においては、容器の栓が、収容室を有する可動部分と容器に対して不動の固定部分とから構成され、容器を封止する可動部分は固定部分に螺着される構造となっている。そのため、衛生管理上その取付けが義務づけられている封止確認手段（いわゆるカットリング）を取付けることができなかった。このカットリングは、容器に螺着される栓の下側にその栓の回動操作で切断される連結部を介して連結された環状部材であり、容器に嵌合させると連結部を切断しない限り栓を開けることができなくなるため、流通過程において第三者による不正な開封を防止する効果をもたらすものである。
ところが、容器を封止する可動部分を固定部分に螺着させる場合、固定部分にカットリングを嵌合させても、固定部分そのものを容器から取り外すことが可能となってしまう問題がある。固定部分にカットリングを連結する方法も考えられるが、固定部分の一部は収容室を開放するために容器の開口部内部に配置されなければならず、容器開口部を内外から挟み込む形状とならざるを得ない。そのため、形状が複雑となり、容器に螺着させる構造とするにはコスト等の問題があった。従って、容器に螺着される部材と一体になってその機能を発揮するカットリングを、容器に直接螺着されない構造の本手段に使用することは困難であった。
また、そのように複雑な構造であることから、組み付け作業を要する等、コストが高くなる傾向にあるという問題点があった。
【０００４】
そこで、容器を封止する栓は直接容器に螺着させることが好ましい。そして、そのような手段として、例えば実公昭４４−１２９５７号公報に開示された手段（以下、第二の従来手段と称す）や、実公昭５０−１８８４６号公報、実公昭５０−１８８４７号公報及び実公昭５０−１８８４８号公報に開示された手段（以下、第三の従来手段と称す）、或いは、実公昭５０−１８８４４号公報に開示された手段（以下、第四の従来手段と称す）が存在する。
【０００５】
上記第二の従来手段は、容器本体の内部に、収容室を開封するための狭窄部分を形成するものである。なお、狭搾部分を形成する方法として、下部が漏斗状に狭窄した円筒状のパッキングを本体口部内面に緊密に嵌挿させる方法や、本体の喉頭部に内包へ突出する突縁を形成する方法が開示されている。
【０００６】
上記第三の従来手段は、容器の栓に収納室を形成する中栓を備えるとともに、栓頂壁の裏面から開閉用の部材を垂設するものである。中栓は、栓が容器から外される際に頂壁から分離して容器の頂部に残るとともに、開閉用の部材が中栓の底面から離れ、その底面に設けられた漏出孔が開放され、収容室に収容された原料が放出されるようになっている。
【０００７】
上記第四の従来手段は、栓に設けられた収容室を、構造に特徴を有する中蓋で封止するものである。ここに、中蓋は、容器の開口部内径より大きな径を有し周辺部が可撓性の底板を有し、底板周辺部は、設置された状態において下側になる方向へ屈曲し難い形状とされている。容器を栓で封止する際には、収容室とともに開口部に挿入された中蓋の底板外周部が上向きに屈曲縮小し、開口部を通過して容器内部の拡径部に達すると復元して固定される。容器を開封する際には、栓を上方へ移動させると、中蓋はその底板外周部が開口部内面に係止固定されることにより容器内に保持され、最後には収容室から脱落し、収容室を開放するようになっている。
【０００８】
【発明が解決しようとする課題】
しかしながら、上記第二の従来手段は、収容室を開放する機構を有する特殊形状の容器を必要とするため、市場に広く流通している通常の容器を使用できず、容器のコストを上昇させてしまうという問題があった。
容器本体にパッキングを緊密に嵌挿させる方法によれば通常の容器を使用することも可能である。しかしながら、滑らかな内面を有する容器本体にパッキンを緊密に嵌挿させるためにはパッキンの外周面を容器の内面に圧着させる必要がある一方で、栓そのものは容器に螺着させなければならない。すなわち、容器を栓で封止する際には、パッキンを回転させながら圧入しなければならず、封止作業が極めて困難になるという問題があった。
【０００９】
また、上記第三の従来手段によれば、栓の回動操作のみで頂壁から分離されなければならない中栓を頂壁に対して緊密に取り付けることができず、その中栓と頂壁との間に形成される収容室を完全に封止することができなかった。そのため、収納室に収納された原料が空気中の酸素により、酸化、褐変、老化、劣化をおこすことを完全に防ぐことは困難であった。
【００１０】
更に、上記第四の従来手段によれば、製造不良などの理由により中蓋の底板外周部が必要以上に下方へ撓むものとなってしまった場合には、容器を開封する際に栓とともに上方に移動した中蓋が容器の開口部途中で引っ掛かり、そこから落下せずに容器を閉塞してしまうおそれがあった。
【００１１】
そこで、本発明の目的は、混合されるべき原料や液体を別々に保存する容器に直接かつ容易に取り付けることができる栓を使用して、それら原料や液体の品質の劣化を防止することができ、また、収容室に収容された原料等を、容器を閉塞させることなく確実に放出することができる、容器の封止機構及びその機構に使用するキャップを提供することにある。
【００１２】
【課題を解決するための手段】
本発明にかかる容器の封止機構は、容器とキャップを備え、該容器は開口部を有し、該キャップは本発明にかかる特徴的なキャップであることを特徴とする。そして、本発明にかかるキャップは、栓部、密栓及びスリーブを備え、該栓部は該容器の該開口部を封止する天板、該天板からその軸線に沿って突出しその内周面が該開口部の外周面に適合する側壁、及び該天板から該側壁の内側で突出して下端面に開口を備えた収容室を形成する筒壁を有しており、該密栓は、該筒壁に取付けられて該開口を封止するもので、その外径は該筒壁の外径より大となっており、該スリーブは、該筒壁に遊嵌し、外周に、外径が該開口部の内径より大で該内径を逆止的に変形して通過する可撓性の萼部を有し、該容器と該キャップの互いに離脱する方向への相対移動時に該スリーブにより該密栓が該筒壁から離脱して該開口を開放するようになっていることを特徴とする。
【００１３】
このキャップによれば、容器を封止する天板を有する栓部は、天板からその軸線に沿って突出する側壁の内周面で開口部の外周面に適合する構造となっている。また、収容室は、栓部の側壁の内側で天板から突出した筒壁に形成され、更に、収容室を封止する密栓は筒壁に遊嵌するスリーブにより筒壁から離脱する構造となっている。従って、容器を封止する栓部は収容室を有しながら、その容器に直接的に螺着可能となっている。なお、側壁の内周面と開口部の外周面との適合とは、多くの場合はカットリングの取り付けを考慮して螺合することが想定されるが、特に螺合に限定されるものではなく、嵌合その他の結合状態であってもよい。
一方、スリーブについては、外径が開口部の内径より大となっている萼部により容器からの抜け出しが防止されるとともに、この萼部は開口部の内径を逆止的に変形して通過する可撓性を有しているため、容器に容易に挿入でき、挿入後は容器から抜け出さない構造となっている。従って、このキャップによれば、栓部はスリーブと一体であっても、容器に容易にかつ直接的に螺着可能となる。そして、このキャップを使用した封止機構によれば、混合されるべき原料や液体を別々に保存する容器に、その容器を封止する栓を直接かつ容易に取り付けることができる。
【００１４】
また、このキャップによれば、収容室は天板から突出した筒壁に形成されかつ下端面の開口は密栓に封止されるため、その内部を外部の空気から完全に遮断することができる。そして、このキャップを使用した封止機構によれば、収容室に内包される原料等の空気中の酸素による劣化等を防止することができる。
【００１５】
更にまた、このキャップによれば、収容室の密栓は、容器とキャップの互いに離脱する方向への相対移動時にスリーブにより筒壁から離脱し、開口部内面に接触することなく収容室の開口を開放するようになっているため、このキャップを使用した封止機構によれば、開口部内面に引っ掛かって容器を閉塞させるおそれがない。
【００１６】
該開口部は内周面に環状溝を有し、該スリーブは外周面に該環状溝に係合する環状凸部を有していてもよい。
こうすると、スリーブの容器に対する係合力が大きくなり抜け出しを防止する効果が高められ、収容室をより確実に開放することができる。
【００１７】
該スリーブは、上端面に該開口部の端面に係合するフランジが形成されていてもよい。
こうすると、密栓が筒壁から脱落した後、スリーブが密栓とともに容器内部に落下することを確実に防止できる。特に、このフランジは、スリーブの萼部が開口部下方の拡径した肩口に係合する場合に有効となる。なお、前記環状溝に係合する環状凸部を有する場合や萼部が開口部内に止まって係合する場合には、スリーブの容器からの抜け出しや容器内部への落下は環状凸部及び萼部により防止されることになる。しかしながら、環状凸部や萼部の開口部に対する係合力のみでは落下防止に不十分である場合等には、落下防止をより確実にするためにフランジを形成してもよい。
【００１８】
該スリーブと該密栓は連結されていてもよい。
こうすると、筒壁から脱落した密栓が容器内部に落下することを防止できる。
【００１９】
該スリーブ、該密栓及び該容器は同じ材質で構成されていてもよい。また、該スリーブと該密栓が連結されている場合は、該スリーブ、該密栓、該容器に加え、該スリーブと該密栓の連結部が同じ材質で構成されていてもよい。
こうすると、容器の回収再利用を効率よく行うことができる。
【００２０】
【発明実施の形態】
図１及び図２に、本発明にかかる容器の封止機構に使用するキャップの具体例を示す。図１は同キャップと同キャップが封止する容器を示す正断面図である。図２は同キャップの使用状態を示し、（ａ）は収容室が開放される前の状態の正断面図、（ｂ）は収容室が開放された状態の正断面図である。
【００２１】
キャップ１は、容器２の封止機構に使用するもので、栓部４、密栓５及びスリーブ６を備える。
栓部４は、容器２の開口部３を封止する天板１１、天板１１からその軸線Ｘに沿って突出しその内周面が開口部３の外周面に螺着する側壁１２、及び天板１１から側壁１２の内側で突出して下端面に開口１３を備えた収容室１４を形成する筒壁１５を有している。また、天板１１の裏面には、容器２を緊密に封止するためのパッキング２０が装着されている。更に、側壁１２の下端にはカットリング２１が連結されている。
密栓５は、筒壁１５に取付けられて開口１３を封止するもので、その外径Ｄ１は筒壁１５の外径Ｄ２より大となっている。
スリーブ６は、筒壁１５に遊嵌し、外周に、外径が開口部３の内径Ｄ３より大で内径Ｄ３を逆止的に変形して通過する可撓性の萼部１６を有している。
【００２２】
また、このキャップ１は、容器２に対する回動操作により、容器２に螺着して封止するようになっている。すなわち、スリーブ６と収容室１４を容器２の開口部３に挿入しながら栓部４を回動させることにより、栓部４が容器２に螺着し天板１１が容器２の開口部３を封止するようになっている。この際、スリーブ６は開口部３の内面に萼部１６を介して接するのみなので、開口部３との接触面積が小さく、回動の妨げとなることはない。
【００２３】
更に、キャップ１が容器２を封止すると、図２（ａ）に示すようにカットリング２１が容器２に嵌合し、連結部２２を切断しない限り開封できない状態となる。そして、図２（ｂ）に示すように連結部２２を切断し容器２を開封すると、容器２から離脱する方向への相対移動時にスリーブ６により密栓５が筒壁１５から離脱して開口１３を開放するようになっている。
【００２４】
このキャップ１において、容器２を封止する栓部４は収容室１４を有しながら、その容器２に直接的に螺着可能となっている。一方、スリーブ６については、外径が開口部３の内径Ｄ３より大となっている萼部１６により容器２からの抜け出しが防止されるとともに、この萼部１６は開口部３の内径を逆止的に変形して通過する可撓性を有しているため、容器２に容易に挿入でき、挿入後は容器から抜け出さない構造となっている。従って、このキャップ１によれば、栓部４はスリーブ６と一体であっても、容器２に容易にかつ直接的に螺着可能となる。そして、このキャップ１を使用した封止機構によれば、混合されるべき原料や液体を別々に保存する容器２に、その容器２を封止する栓を直接かつ容易に取り付けることができる。
【００２５】
また、このキャップ１によれば、収容室１４は天板１１から突出した筒壁１５に形成されかつ下端面の開口１３は密栓５に封止されるため、その内部を外部の空気から完全に遮断することができる。そして、このキャップ１を使用した封止機構によれば、収容室１４に内包される原料等の空気中の酸素による劣化等を防止することができる。
【００２６】
更にまた、このキャップ１によれば、収容室１４の密栓５は、容器２とキャップ１の互いに離脱する方向への相対移動時にスリーブ６により筒壁１５から離脱し、開口部３内面に接触することなく収容室１４の開口１３を開放するようになっているため、このキャップ１を使用した封止機構によれば、開口部３内面に引っ掛かって容器を閉塞させるおそれがない。
【００２７】
開口部３は内周面に環状溝７を有し、スリーブ６は外周面に、この環状溝７に係合する環状凸部１７を有している。
この場合、スリーブ６の容器２に対する係合力が大きくなり抜け出しを防止する効果が高められ、収容室１４をより確実に開放することができる。
【００２８】
スリーブ６、密栓５及び容器２は同じ材質で構成されている。
この場合、容器２の回収再利用を効率よく行うことができる。
【００２９】
収容室１４には、原料２３が充填されている。この原料２３は、容器２を封止する前に予め充填されるが、その形態に限定はなく、粉末、個体或いは液体等、いずれの形態であってもよい。なお、粉末として、例えば、緑茶、コーヒー、紅茶、濃縮ミネラル、海洋深層水抽出ミネラル、健康食品、薬品、濃縮果汁、乳製品、アルコール、濃縮野菜、ビタミン類、糖類、薬草類、発酵菌を充填しても良い。また、個体として、例えば、緑茶、コーヒー、紅茶、濃縮ミネラル、海洋深層水抽出ミネラル、健康食品、薬品、濃縮果汁、乳製品を充填してもよい。更に、液体として、例えば、緑茶、コーヒー、紅茶、濃縮ミネラル、海洋深層水抽出ミネラル、健康食品、薬品、濃縮果汁、乳製品を充填してもよい。
【００３０】
原料２３の充填は、スリーブ６を筒壁１５に遊間させ開口１３を上にした状態で、原料２３を収容室１４の内部に注入してから開口１３を密栓５で封止することにより行うことができる。この際、収容室１４の内部の空気を除去し原料２３のみを充填することが好ましく、その場合原料２３の品質をより良い状態で維持することができる。
【００３１】
また、原料２３が粉末である場合は脱湿されていることが好ましく、その場合、収容室１４内での固結を防止することができる。
【００３２】
更に、原料２３は収容室１４の内部に不活性ガスとともに充填されることが好ましく、その場合原料２３の品質を更に良い状態で維持することができる。
【００３３】
図３及び図４に、本発明にかかる容器の封止機構に使用するキャップの他の具体例を示す。図３は同キャップの正断面図である。図４は同キャップの使用状態を示し、（ａ）は収容室が開放される前の状態の正断面図、（ｂ）は収容室が開放された状態の正断面図である。
【００３４】
図３及び図４に示すキャップ１０は、前記キャップ１に対し、スリーブ６が環状凸部１７を有さず、代わりにその上端面に形成されたフランジ１８を有している点で相違している。フランジ１８は、開口部３の端面８に係合するものである。なお、その他の構成はキャップ１と同じであるため、対応する部分に同符号を付しその説明は省略するものとする。
このキャップ１０によれば、密栓５が筒壁１５から脱落した後、スリーブ６が密栓５とともに容器２内部に落下することを確実に防止できる。キャップ１におけるスリーブ６は環状凸部１７により容器２からの抜け出しと容器２内部への落下が防止されており、このような場合は、通常フランジ１８は必要ない。しかしながら、環状凸部１７の環状溝７に対する係合力だけではスリーブ６の落下防止に不十分である場合等には、落下防止をより確実にするためにフランジ１８を形成してもよい。
【００３５】
キャップ１０において、スリーブ６と密栓５は連結されている。
この場合、筒壁１５から脱落した密栓５が容器２内部に落下することを防止できる。
【００３６】
スリーブ６、密栓５、スリーブ６と密栓５の連結部１９及び容器２は同じ材質で構成されいる。
この場合、容器２の回収再利用を効率よく行うことができる。
【００３７】
【発明の効果】
本発明にかかるキャップによれば、容器を封止する栓部は収容室を有しながら、その容器に直接的に螺着可能となっており、更に栓部はスリーブと一体であっても、容器に容易にかつ直接的に螺着可能となる。そして、このキャップを使用した本発明にかかる容器の封止機構によれば、混合されるべき原料や液体を別々に保存する容器に、その容器を封止する栓を直接かつ容易に取り付けることができる。
また、本発明にかかるキャップによれば、収容室は天板から突出した筒壁に形成されかつ下端面の開口は密栓に封止されるため、その内部を外部の空気から完全に遮断することができる。そして、このキャップを使用した本発明にかかる容器の封止機構によれば、収容室に内包される原料等の空気中の酸素による劣化等を防止することができる。
更にまた、本発明にかかるキャップによれば、収容室の密栓は、容器とキャップの互いに離脱する方向への相対移動時にスリーブにより筒壁から離脱し、開口部内面に接触することなく収容室の開口を開放するようになっているため、このキャップを使用した本発明にかかる容器の封止機構によれば、開口部内面に引っ掛かって閉塞させるおそれがない。
【００３８】
請求項２、８によれば、スリーブの容器に対する係合力が大きくなり抜け止め効果が高められ、収容室をより確実に開放することができる。
【００３９】
請求項３、９によれば、密栓が筒壁から脱落した後、スリーブが密栓とともに容器内部に落下することを確実に防止できる。
【００４０】
請求項４、１０によれば、筒壁から脱落した密栓が容器内部に落下することを防止できる。
【００４１】
請求項５、６、１１、１２によれば、容器の回収再利用を効率よく行うことができる。
【図面の簡単な説明】
【図１】本発明にかかる容器の封止機構に使用するキャップと同キャップが封止する容器を示す正断面図である。
【図２】同キャップの使用状態を示し、（ａ）は収容室が開放される前の状態の正断面図、（ｂ）は収容室が開放された状態の正断面図である。
【図３】本発明にかかる容器の封止機構に使用するキャップの他の具体例の正断面図である。
【図４】同キャップの使用状態を示し、（ａ）は収容室が開放される前の状態の正断面図、（ｂ）は収容室が開放された状態の正断面図である。
【符号の説明】
１　　キャップ
２　　容器
３　　開口部
４　　栓部
５　　密栓
６　　スリーブ
７　　環状溝
８　　端面
１１　天板
１２　側壁
１３　開口
１４　収容室
１５　周壁
１６　萼部
１７　環状凸部
１８　フランジ
Ｘ　　軸線
Ｄ１　密栓の外径
Ｄ２　筒壁の外径
Ｄ３　開口部の内径
【図１】
2004075133.tif 000003
【図２】
2004075133.tif 000004
【図３】
2004075133.tif 000005
【図４】
2004075133.tif 000006